(57)【要約】【課題】証券に記入された要件（金額、支払期日、印鑑等）の認識率を向上させる。【解決手段】証券読取装置１は、証券発行装置２から発行された証券の券面のイメージを、当該証券の識別情報（証券番号）に対応づけて発行イメージデータベース１５１に格納する。また、証券読取装置１は、証券発行装置２による証券発行後、読取部１６により、金融機関に回収された証券の券面のイメージと識別情報（証券番号）を取得し、発行イメージデータベース１５１から、読取部１６から取得された識別情報に対応する券面のイメージを読み出す。そして、読取部１６から取得された券面のイメージと、発行イメージデータベース１５１から読み出された券面のイメージとを重ね合わせて、重複する部分を削除し、重複部分が削除されたイメージを、文字認識装置３及び印鑑照合装置４に出力する。【選択図】図１
2005107721.tif 000002
【特許請求の範囲】
【請求項１】
証券発行装置から発行された証券の券面をイメージ読取することによって得られた券面のイメージを、証券に固有の識別情報に対応づけて記憶する発行券面イメージ記憶手段と、
前記証券発行装置による証券発行後に、金融機関に回収された証券の券面のイメージを取得する取得手段と、
前記発行券面イメージ記憶手段から、前記回収された証券の識別情報に対応する券面のイメージを読み出す読出し手段と、
前記取得手段により取得された券面のイメージと、前記読出し手段により読み出された券面のイメージとを重ね合わせて、重複する部分を削除するイメージ処理手段と、
前記イメージ処理手段によって重複する部分が削除されたイメージを、当該イメージの認識処理を行う認識装置に出力する出力手段と、
を備えることを特徴とする証券読取装置。
【請求項２】
前記イメージ処理手段は、前記取得手段により取得された券面のイメージと、前記読出し手段により読み出された券面のイメージを、券面の四隅を基準にして重ね合わせることを特徴とする請求項１に記載の証券読取装置。
【請求項３】
前記出力手段は、前記重複する部分が削除されたイメージを文字認識装置に出力することを特徴とする請求項１又は２に記載の証券読取装置。
【請求項４】
前記出力手段は、前記重複する部分が削除されたイメージを、回収された証券に押印された印鑑の照合を行う印鑑照合装置に出力することを特徴とする請求項１又は２に記載の証券読取装置。
【発明の詳細な説明】
【技術分野】
【０００１】
本発明は、証券読取装置に関する。
【背景技術】
【０００２】
金融機関で発行された手形、小切手等の証券は、以下のような経路で、最終的に証券を発行した金融機関に回収される。まず、支払人によって要件（支払期日、金額等）が記入され、受取人に渡される。受取人は、自分の口座がある金融機関にその証券を持ち込む。受取人によって持ち込まれた証券は、交換所に持ち出され、その証券を発行した金融機関に回収される。
【０００３】
証券を回収した金融機関では、ＯＣＲ（Optical Character Reader）等により、回収された証券に記入された要件（金額、支払期日等）を読み取り、コンピュータに登録する。また、証券に押印された振出人の印鑑のイメージを読み取り、読み取られた印鑑のイメージと、予め登録されている届出印のイメージとを照合することにより、回収された証券の真贋を判断する（例えば、特許文献１参照。）。
【特許文献１】特開２００２−４９７６３号公報
【発明の開示】
【発明が解決しようとする課題】
【０００４】
しかしながら、回収された証券に記入された要件をＯＣＲ等で読み取るとき、証券発行時に印字した罫線や文字も、記入された要件として認識されることがあったため、ＯＣＲによる文字認識率を低下させるという問題があった。また、回収された証券に押印された印鑑のイメージを読み取るとき、その証券に予め印字された罫線等も読み取ることがあったため、読み取られた印鑑のイメージに基づいて、予め登録されている届出印を探索する際の探索率を低下させるという問題があった。
【０００５】
本発明の課題は、証券に記入された要件（金額、支払期日、印鑑等）の認識率を向上させることである。
【課題を解決するための手段】
【０００６】
上記課題を解決するため、請求項１に記載の発明は、証券発行装置から発行された証券の券面をイメージ読取することによって得られた券面のイメージを、証券に固有の識別情報に対応づけて記憶する発行券面イメージ記憶手段と、前記証券発行装置による証券発行後に、金融機関に回収された証券の券面のイメージを取得する取得手段と、前記発行券面イメージ記憶手段から、前記回収された証券の識別情報に対応する券面のイメージを読み出す読出し手段と、前記取得手段により取得された券面のイメージと、前記読出し手段により読み出された券面のイメージとを重ね合わせて、重複する部分を削除するイメージ処理手段と、前記イメージ処理手段によって重複する部分が削除されたイメージを、当該イメージの認識処理を行う認識装置に出力する出力手段と、を備えることを特徴としている。
【発明の効果】
【０００７】
本発明によれば、証券発行装置により発行された券面のイメージと、回収された証券の券面のイメージとを重ね合わせ、重複する部分を削除することにより、証券発行後に記入された要件のみを抽出することが可能になり、証券に記入された要件の認識率を高めることができる。
【発明を実施するための最良の形態】
【０００８】
以下、図面を参照して、本発明の実施形態について詳細に説明する。まず、本実施形態の構成について説明する。
【０００９】
図１は、金融機関内の証券管理システム１００の構成を示す図である。証券管理システム１００は、図１に示すように、証券読取装置１、証券発行装置２、文字認識装置３、印鑑照合装置４により構成される。証券読取装置１は、証券発行装置２、文字認識装置３及び印鑑照合装置４に、ＬＡＮ（Local Area Network）等の通信ネットワークを介して接続される。
【００１０】
証券読取装置１は、証券発行装置２により発行された証券の券面のイメージを読み取り、発行イメージデータベース１５１（図４参照）に格納する。また、証券読取装置１は、回収された証券の券面のイメージを読み取って、発行時の証券の券面のイメージと重ね合わせ、重複部分を削除したイメージを文字認識装置３、印鑑照合装置４に出力する。証券読取装置１の構成の詳細については、後に図２〜図６を参照して説明する。
【００１１】
証券発行装置２は、手形、小切手等の証券を発行する装置である。ここで、図７を参照して、証券発行装置２により発行される証券について説明する。図７に、証券発行装置２により発行される証券の一例として、約束手形の券面を示す。約束手形の券面上部には、手形番号が印刷され、上部右端には、交換所名、交換所番号、銀行番号、支店番号からなる交換所枠が印刷されている。更に、券面中央には、受取人を記入するための受取人欄、金額を記入するための金額欄、振出日を記入するための振出日欄が設けられるとともに、振出地住所、振出人の署名鑑が印刷されている。また、受取人欄及び金額欄の右側には、支払期日を記入するための支払期日欄が設けられ、更に、支払地及び支払場所が印刷されている。
【００１２】
また、券面の底辺部分（クリアバンド）には、交換所規則で規定されたＭＩＣＲ（Magnetic Ink Character Recognition）文字が磁気トナーにより印刷されている。このＭＩＣＲ文字は、金融機関や交換所にて、約束手形をリーダ・ソータ装置にて機械処理する場合に読み取られる。ＭＩＣＲ文字の部分は、交換所番号、銀行番号、支店番号、口座番号、手形番号等が印刷され、これらの各々は、シンボルと呼ばれる特殊記号により区切られている。このように、券面上に印刷された項目の一部は、同一内容が、ＭＩＣＲ文字としてクリアバンド部分に印刷されている。
【００１３】
文字認識装置３は、ＯＣＲ装置等の文字認識手段を備え、証券読取装置１から出力されたイメージデータから文字を認識し、認識された文字のテキストデータを証券読取装置１に出力する。印鑑照合装置４は、証券読取装置１から出力されたイメージデータに含まれる印鑑のイメージデータと、届出印イメージデータベース１５３（図６参照）に格納された印鑑のイメージデータとを照合する。
【００１４】
次に、図２を参照して、本発明の実施形態に係る証券読取装置１の構成について詳細に説明する。証券読取装置１は、図２に示すように、ＣＰＵ（Central Processing Unit）１０、表示部１１、入力部１２、通信制御部１３、ＲＡＭ（Random Access Memory）１４、記憶装置１５、読取部１６により構成され、各部はバス１７により接続されている。
【００１５】
ＣＰＵ１０は、記憶装置１５に格納されている各種制御プログラムを読み出してＲＡＭ１４内に展開し、それらの制御プログラムに従って証券読取装置１の各部を制御する。以下、ＣＰＵ１０の制御動作について説明する。
【００１６】
ＣＰＵ１０は、証券発行装置２により発行され、読取部１６の読取によって得られた証券の券面のイメージを、各証券に固有の識別情報（証券番号（小切手番号、手形番号））に対応づけて発行イメージデータベース１５１に格納する処理を実行する。
【００１７】
また、ＣＰＵ１０は、発行イメージデータベース１５１から、金融機関に回収された証券の手形番号に対応する証券の券面のイメージを読み出し、発行時の証券の券面のイメージと、回収された証券の券面のイメージを重ね合わせて重複部分を削除し、重複部分が削除されたイメージを文字認識装置３、印鑑照合装置４に出力する持帰り処理を実行する（図８及び図９参照）。ＣＰＵ１０は、発行時の証券の券面のイメージと、回収された証券の券面のイメージを重ね合わせる際、両券面の四隅を基準にして重ね合わせる。なお、本実施形態では、約束手形に対する持帰り処理が適用される場合を示すが、この持帰り処理は、小切手等の他の証券にも適用可能である。以下、回収された手形を、持帰手形と称する。
【００１８】
更に、ＣＰＵ１０は、文字認識装置３から出力された、証券の券面に記入された金額、支払期日等の要件のデータを、持帰イメージデータベース１５２の該当する手形番号のレコードに格納する処理を実行する。
【００１９】
表示部１１は、ＬＣＤ（Liquid Crystal Display）やＣＲＴ（Cathode Ray Tube）等の表示画面を備え、ＣＰＵ１０から入力される表示信号に従って所要の表示処理を行う。
【００２０】
入力部１２は、文字入力キー、テンキー、カーソルキー及び各種機能キーを備えたキー入力装置や、マウス等のポインティングデバイス等を備え、キー入力装置やポインティングデバイスの操作による操作信号をＣＰＵ１０に出力する。
【００２１】
通信制御部１３は、モデム（ＭＯＤＥＭ：MOdulator/DEModulator）、ルータ、ＴＡ（Terminal Adapter）等によって構成され、電話回線、専用線、ＩＳＤＮ回線等の通信ネットワークを介して、外部装置と通信を行うための制御を行う。
【００２２】
ＲＡＭ１４は、ＣＰＵ１０により実行される各種制御プログラムや各種アプリケーションプログラムをプログラム格納エリアに展開する。また、ＲＡＭ１４は、入力データ及び上記の制御処理プログラムの実行時に生じる処理結果等のデータを、ワークエリアに一時的に格納する。
【００２３】
記憶装置１５は、プログラムやデータ等が予め記憶されている記録媒体を有している。この記録媒体は、磁気的、光学的記録媒体又は半導体等の不揮発性メモリで構成されており、記憶装置１５に固定的に設けたもの又は着脱自在に装着するものである。この記録媒体は、持帰り処理プログラム（図８及び図９参照）を含む各種制御プログラム及びこれらのプログラムで処理されたデータ等を記憶する。
【００２４】
記憶装置１５は、発行された証券及び回収された証券を管理するためのデータベースとして、図３に示すように、発行イメージデータベース１５１、持帰イメージデータベース１５２、届出印イメージデータベース１５３を格納する。なお、以下では、約束手形を管理するためのデータベースのデータ構成について説明するが、これらのデータ構成の説明は、小切手等の他の証券においても適用される。
【００２５】
図４に、発行イメージデータベース１５１のデータ構成例を示す。発行イメージデータベース１５１は、証券発行装置２により発行された証券（約束手形）の券面に関する情報を、当該券面の発行イメージファイルとともに格納する。発行イメージデータベース１５１は、証券の券面に関する情報として、図４に示すように、顧客番号、手形番号、発行イメージファイル名の各項目を対応付けて格納する。発行イメージデータベース１５１において、顧客番号項目は、顧客の識別データを格納し、手形番号項目は、各手形に固有の識別情報（手形番号）のデータを格納する。発行イメージファイル名項目は、証券発行装置２により発行された証券の券面の発行イメージファイルのファイル名を格納する。
【００２６】
図５に、持帰イメージデータベース１５２のデータ構成例を示す。持帰イメージデータベース１５２は、回収された持帰手形の券面に関する情報を、当該券面の持帰イメージファイルとともに格納する。持帰イメージデータベース１５２は、持帰手形の券面に関する情報として、図５に示すように、手形番号、持帰イメージファイル名、金額、支払期日等の各項目を対応付けて格納する。持帰イメージデータベース１５２において、持帰イメージファイル名項目は、読取部１６により読み取られた持帰手形の券面の持帰イメージファイルのファイル名を格納し、金額項目、支払期日項目は、それぞれ、該当する持帰手形に記入された金額、支払期日のデータを格納する。金額、支払期日のデータは、文字認識装置３から出力される。
【００２７】
図６に、届出印イメージデータベース１５３のデータ構成例を示す。届出印イメージデータベース１５３は、顧客から届出印として登録されている印鑑に関する情報を、届出印イメージファイルとともに格納する。届出印イメージデータベース１５３は、印鑑情報として、図６に示すように、顧客番号、届出印イメージファイル名の各項目を対応付けて格納する。届出印イメージデータベース１５３において、届出印イメージファイル名項目は届出印イメージファイルのファイル名を格納する。
【００２８】
なお、記憶装置１５の記録媒体に記憶するプログラム、図４〜図６に示す各データベース等は、その一部若しくは全部を、サーバやクライアント等の他の機器からＷＡＮ（Wide Area Network）、ＬＡＮ（Local Area Network）等の通信ネットワークを介して通信制御部１３から受信して記憶するような構成にしてもよい。更に、記録媒体は、通信ネットワーク上に構築されたサーバ内の記録媒体であってもよい。また、上述のプログラム、各データベース等を、通信ネットワークを介してサーバやクライアント等の他の機器に伝送してインストールするように構成してもよい。例えば、印鑑照合装置４が、届出印イメージデータベース１５３を有するような構成にしてもよい。
【００２９】
読取部１６は、イメージスキャナ、ＭＩＣＲ文字読取部等により構成される。イメージスキャナは、証券発行装置１により発行された証券の券面、回収された証券（例えば、持帰手形）の券面を読み取り、イメージファイルとして取得する。ＭＩＣＲ文字読取部は、ＭＩＣＲ文字を読み取るための磁気的スキャナ等を有しており、回収された証券の券面に印刷されているＭＩＣＲ文字を読み取る。
【００３０】
次に、本実施形態における動作について説明する。
図８及び図９は、本実施形態の証券読取装置１の動作を説明するためのフローチャートである。これらのフローチャートは、証券読取装置１を構成するコンピュータに各機能を実現させるためのプログラムを説明するためのものである。本実施形態では、これらのプログラムが、ＣＰＵ１０が読み取り可能なプログラムコードの形態で記録媒体に格納されている例で説明するが、全ての機能を記録媒体に格納する必要はなく、必要に応じて、その一部又は全部を、通信ネットワークを介して通信制御部１３から受信して実現するようにしてもよい。
【００３１】
まず、図８のフローチャートを参照して、証券読取装置１により実行される持帰り処理について説明する。以下のフローチャートでは、約束手形に対する持帰り処理について説明するが、小切手等の他の証券に対しても同様の処理が実行される。
【００３２】
まず、読取部１６のイメージスキャナにより、回収された持帰手形の券面のイメージが読み取られ、券面のイメージファイルが取得されるとともに、読取部１６のＭＩＣＲ文字読取部により、手形番号が読み取られる（ステップＳ１）。図１０に、持帰手形の券面の一例を示す。図１０に示すように、持帰手形には、振出人の印鑑が押印され、振出日、金額、支払期日等が記入されている。
【００３３】
ＭＩＣＲ文字読取部により読み取られた手形番号と、イメージスキャナにより読み取られた券面のイメージファイルが、そのイメージファイル名とともに、持帰イメージデータベース１５２に格納される（ステップＳ２）。
【００３４】
次いで、持帰イメージデータベース１５２に格納された券面のイメージと、発行イメージデータベース１５１に格納された券面のイメージを重ね合わせるイメージ重ね合わせ処理が実行され（ステップＳ３）、本持帰り処理が終了する。ステップＳ３のイメージ重ね合わせ処理の詳細は、図９を参照して説明する。
【００３５】
次に、図９のフローチャートを参照して、図８のステップＳ３に示したイメージ重ね合わせ処理の詳細について説明する。
【００３６】
まず、持帰イメージデータベース１５２が開かれ（ステップＳ１０）、データベース内の１番目のレコードが取得される（ステップＳ１１）。次いで、持帰イメージデータベース１５２から、ステップＳ１１で取得されたレコードに設定された手形番号と、その手形番号に対応するイメージファイルが取得される（ステップＳ１２）。
【００３７】
次いで、発行イメージデータベース１５１から、ステップＳ１２で取得された手形番号に一致するレコードが検索され（ステップＳ１３）、該当するレコードがあるか否かが判定される（ステップＳ１４）。
【００３８】
ステップＳ１４において、該当するレコードがないと判定された場合（ステップＳ１４；ＮＯ）、持帰手形から読み取った手形番号に対応するレコードが発行イメージデータベース１５１に記憶されていないことをユーザに報知するためのイレギュラー発生処理が実行され（ステップＳ１９）、ステップＳ１８に移行し、持帰イメージデータベース１５２に次のレコードがあるか否かが判定される（ステップＳ１８）。
【００３９】
ステップＳ１４において、該当するレコードがあると判定された場合（ステップＳ１４；ＹＥＳ）、発行イメージデータベース１５１内の該当レコードに対応する券面のイメージが読み出される（ステップＳ１５）。次いで、ステップＳ１５で読み出された券面のイメージと、ステップＳ１２で取得された券面のイメージが、券面の四隅を基準にして重ね合され、重複部分がドット単位で削除される（ステップＳ１６）。そして、重複部分が削除されたイメージが、通信制御部１３によって、文字認識装置３及び印鑑照合装置４に出力される（ステップＳ１７）。
【００４０】
図１１に、発行時の約束手形のイメージと、持帰手形のイメージの重ね合わせによって重複された部分が削除されたイメージを示す。図１１に示すイメージは、図７に示す券面のイメージと図１０に示す券面のイメージの重複部分が削除されたイメージあり、約束手形が発行された後に記入された要件（金額、支払期日、振出日、印鑑等）のみが抽出されたイメージとなっている。
【００４１】
重複部分が削除されたイメージが、文字認識装置３及び印鑑照合装置４に出力されると、持帰イメージデータベース１５２に次のレコードがあるか否かが判定される（ステップＳ１８）。ステップＳ１８において、持帰イメージデータベース１５２に次のレコードがあると判定された場合（ステップＳ１８；ＹＥＳ）、ステップＳ１１に戻り、持帰イメージデータベース１５２から該当するレコードが取得される（ステップＳ１１）。ステップＳ１８において、持帰イメージデータベース１５２に次のレコードがないと判定された場合（ステップＳ１８；ＮＯ）、本イメージ重ね合わせ処理が終了する。
【００４２】
文字認識装置３では、証券読取装置１から、図１１に示すような、重複部分が削除されたイメージデータが入力されると、その入力されたイメージデータから文字を認識し、認識された文字のテキストデータを証券読取装置１に出力する。印鑑照合装置４では、証券読取装置１から出力されたイメージデータに含まれる印鑑のイメージに一致するデータが、届出印イメージデータベース１５３から探索される。
【００４３】
以上のように、本実施形態の証券読取装置１によれば、証券発行時の券面のイメージと、回収された証券の券面のイメージとを重ね合わせ、重複する部分を削除して、証券発行後に記入された要件（金額、支払期日、振出日、印鑑等）のみを抽出することにより、文字認識装置３において、証券に記入された要件の認識率を向上させる。また、印鑑照合装置４において、証券に押印された印鑑の認識率が高くなり、印鑑照合時の印鑑探索率を向上させることができる。
【００４４】
なお、本実施形態における記述内容は、本発明の趣旨を逸脱しない範囲で適宜変更可能である。
【図面の簡単な説明】
【００４５】
【図１】証券管理システム１００の構成を示す図。
【図２】本発明を適用した実施形態の証券読取装置１の機能的構成を示すブロック図。
【図３】証券読取装置１の記憶装置１５に格納されるデータベースの構成を示す図。
【図４】発行イメージデータベース１５１のデータ構成例を示す図。
【図５】持帰イメージデータベース１５２のデータ構成例を示す図。
【図６】届出印イメージデータベース１５３のデータ構成を示す図。
【図７】証券発行装置２により発行される証券（約束手形）の券面の一例を示す図。
【図８】証券読取装置１により実行される持帰り処理を示すフローチャート。
【図９】図８に示すイメージ重ね合わせ処理の詳細を示すフローチャート。
【図１０】持帰手形の券面の一例を示す図。
【図１１】図１０の持帰手形のイメージから、図７の発行時の手形のイメージと重複した部分を削除したイメージを示す図。
【符号の説明】
【００４６】
１  証券読取装置
１０  ＣＰＵ
１１  表示部
１２  入力部
１３  通信制御部
１４  ＲＡＭ
１５  記憶装置
１５１  発行イメージデータベース（発行券面イメージ記憶手段）
１５２  持帰イメージデータベース
１５３  届出印イメージデータベース
１６  読取部（取得手段）
２  証券発行装置
３  文字認識装置
４  印鑑照合装置
１００  証券管理システム
【図１】
2005107721.tif 000003
【図２】
2005107721.tif 000004
【図３】
2005107721.tif 000005
【図４】
2005107721.tif 000006
【図５】
2005107721.tif 000007
【図６】
2005107721.tif 000008
【図７】
2005107721.tif 000009
【図８】
2005107721.tif 000010
【図９】
2005107721.tif 000011
【図１０】
2005107721.tif 000012
【図１１】
2005107721.tif 000013